(57)【特許請求の範囲】
【請求項１】
車両に搭載された車載装置に設けられるアンテナ装置であって、
前記車載装置の筐体の前面に形成された操作パネルから突出して設けられた操作ノブ内に配置されたアンテナ素子と、このアンテナ素子の給電線を前記筐体の内部へ向かって前記操作ノブの外部に引き出す手段とを備えたことを特徴とするアンテナ装置。
【請求項２】
車両に搭載された車載装置に設けられるアンテナ装置であって、
前記車載装置の筐体の前面に形成された操作パネルから突出するように、前記車載装置のケースに支持される操作ノブを備え、この操作ノブの内部にアンテナ素子を設け、このアンテナ素子の給電線を前記ケース側に導出したことを特徴とするアンテナ装置。
【請求項３】
車両に搭載された車載装置に設けられるアンテナ装置であって、
前記車載装置の筐体の前面に形成された操作パネルから突出するように、前記車載装置のケースに回転可能或いは押動可能に支持される操作ノブを備え、この操作ノブの内部にアンテナ素子を設け、このアンテナ素子の給電線を前記ケース側に導出したことを特徴とするアンテナ装置。
【請求項４】
車両に搭載された車載装置に設けられるアンテナ装置であって、
前記車載装置の筐体の前面に形成された操作パネルから突出するように、前記車載装置のケースに回転可能に支持され、内部に空洞を有する操作ノブを備え、この操作ノブの空洞に前記操作ノブとは別体に固定的にチップアンテナを設け、このチップアンテナの給電線を前記ケース側に導出して前記ケースに固定したことを特徴とするアンテナ装置。
【請求項５】
車両に搭載された車載装置に設けられるアンテナ装置であって、
前記車載装置の筐体の前面に形成された操作パネルから突出して設けられた操作ノブの穴に棒型アンテナの一端を圧入し、この棒型アンテナはケースに回転可能に支持され、前記棒型アンテナの他端の第１の電極と、給電線の第２の電極とを所定の空隙を保持して容量結合し、前記給電線を前記ケース側から導出したことを特徴とするアンテナ装置。
【請求項６】
前記車載装置の筐体の内部に通信装置を設け、
請求項１乃至５のいずれかに記載のアンテナ装置のアンテナ素子の前記給電線を前記通信装置に接続したことを特徴とする電子機器。
【発明の詳細な説明】
【０００１】
【発明の属する技術分野】
本発明は、アンテナ装置及びそれを用いた電子機器に関する。
【０００２】
【従来の技術】
従来のアンテナ装置を、例えば車両に搭載されるオーディオ機器等の電子機器に組み込んだ場合の斜視図を図４、図５に示す。図４において、１０１は電子機器（本体）であり、電子機器１０１は、筐体１０３内に、通信装置１０５と、電子機器の基板１０７と、通信装置１０５に接続されるアンテナ装置１１１とを備えて構成される。筐体１０３の操作パネル１０９には、音量を調整する操作部品１１３（ボリューム）が取り付けられている。筐体１０３は金属製である。アンテナ装置１１１のアンテナ素子１１７は、例えばチップアンテナである。このアンテナ素子１１７は筐体１０３の内部に設置されている。
【０００３】
また、図５において、１２１は電子機器（本体）であり、アンテナ装置１４１のアンテナ素子１４３は、例えば棒型アンテナであり、金属製の筐体１０３の操作パネル１０９に突設させている。
【０００４】
【発明が解決しようとする課題】
しかしながら、図４に示すように、アンテナ装置１１１であるアンテナ素子１１７を電子機器（本体）１２１に内蔵した場合は、筐体１０３として電波伝搬特性に影響のある金属などが用いられていることが多いので、電波伝搬特性に影響のない場所を選ぶ必要があるという問題がある。また、図４の場合、図５に示すように、アンテナ装置１４１であるアンテナ素子１４３を筐体１０３に突設させた場合と比較して電波伝搬特性が劣るという問題がある。
【０００５】
また、図５に示すように、アンテナ装置１４１のアンテナ素子１４３である棒型アンテナを筐体１０３に突設させた場合は、本体内蔵のときと比べて電波伝搬特性はよいが、アンテナ素子１４３が電子機器１０１本体から突起するためデザイン性が悪く、また、操作パネル１０９の一部分にアンテナ素子１４３のスペースを確保しなければならないという問題がある。
【０００６】
従って、電子機器の機種毎にアンテナ装置の設置位置や構造の設計をしなければならない問題がある。
【０００７】
そこで、本発明の目的は、上述した従来技術が有する課題を解消し、省スペース化を図ることができ、電子機器の機種毎にアンテナ装置の設置位置や構造の設計をしなくてよく、デザイン性がよく電波伝搬特性の最適な位置に設置できるアンテナ装置及びそれを用いた電子機器を提供することにある。
【０００８】
【課題を解決するための手段】
請求項１記載の発明は、車両に搭載された車載装置に設けられるアンテナ装置であって、前記車載装置の筐体の前面に形成された操作パネルから突出して設けられた操作ノブ内に配置されたアンテナ素子と、このアンテナ素子の給電線を前記筐体の内部へ向かって前記操作ノブの外部に引き出す手段とを備えたことを特徴とするものである。
【０００９】
請求項２記載の発明は、車両に搭載された車載装置に設けられるアンテナ装置であって、前記車載装置の筐体の前面に形成された操作パネルから突出するように、前記車載装置のケースに支持される操作ノブを備え、この操作ノブの内部にアンテナ素子を設け、このアンテナ素子の給電線を前記ケース側に導出したことを特徴とするものである。
【００１０】
請求項３記載の発明は、車両に搭載された車載装置に設けられるアンテナ装置であって、前記車載装置の筐体の前面に形成された操作パネルから突出するように、前記車載装置のケースに回転可能或いは押動可能に支持される操作ノブを備え、この操作ノブの内部にアンテナ素子を設け、このアンテナ素子の給電線を前記ケース側に導出したことを特徴とするものである。
【００１１】
請求項４記載の発明は、車両に搭載された車載装置に設けられるアンテナ装置であって、前記車載装置の筐体の前面に形成された操作パネルから突出するように、前記車載装置のケースに回転可能に支持され、内部に空洞を有する操作ノブを備え、この操作ノブの空洞に前記操作ノブとは別体に固定的にチップアンテナを設け、このチップアンテナの給電線を前記ケース側に導出して前記ケースに固定したことを特徴とするものである。
【００１２】
請求項５記載の発明は、車両に搭載された車載装置に設けられるアンテナ装置であって、前記車載装置の筐体の前面に形成された操作パネルから突出して設けられた操作ノブの穴に棒型アンテナの一端を圧入し、この棒型アンテナはケースに回転可能に支持され、前記棒型アンテナの他端の第１の電極と、給電線の第２の電極とを所定の空隙を保持して容量結合し、前記給電線を前記ケース側から導出したことを特徴とするものである。
【００１３】
請求項６記載の発明は、前記車載装置の筐体の内部に通信装置を設け、請求項１乃至５のいずれかに記載のアンテナ装置のアンテナ素子の前記給電線を前記通信装置に接続したことを特徴とするものである。
【００１６】
請求項１に記載の発明では、操作ノブ内にアンテナ素子が配置され、このアンテナ素子の給電線が操作ノブの外部から引き出されることから、スイッチやボリューム等の機能とアンテナの機能とを兼ね備えることができ、省スペース化を図ることができる。
【００１７】
請求項２又は３に記載の発明では、ケースと操作ノブとを備えたスイッチやボリューム等にアンテナ素子が設けられ、このアンテナ素子の給電線がケース側に導出されることから、スイッチやボリューム等の機能とアンテナの機能とを兼ね備えることができ、省スペース化を図ることができる。
【００１８】
請求項４に記載の発明では、チップアンテナ及び給電線は、操作ノブの回転に伴って回転することなく固定化されているので、給電線のねじれを防止することができる。
【００１９】
請求項５に記載の発明では、操作ノブの回転に伴って回転する棒型アンテナの第１の電極と、給電線の第２の電極とが所定の空隙を保持して容量結合されているので、給電線のねじれを防止することができる。
【００２０】
請求項６に記載の発明では、アンテナ装置がスイッチやボリューム等の機能を兼ね備えることから、筐体のスイッチやボリューム等を設ける位置にアンテナ装置を設けることができるので、筐体にアンテナ装置を設けるためのスペースを別途設ける必要がなく、省スペース化を図ることができ、電子機器の機種毎にアンテナ装置の設置位置や構造の設計をしなくてよく、外観上アンテナ素子が見えることなくアンテナ素子を筐体に突設できることから、デザイン性がよく電波伝搬特性の最適な位置に設置できる。
【００２１】
【発明の実施の形態】
以下、本発明の実施の形態を、図面を参照して説明する。
【００２２】
〔Ａ〕第１の実施の形態
図１は、第１の実施の形態に係る電子機器を示す斜視図である。
【００２３】
図１において、１は電子機器（本体）であり、電子機器１は、例えば車両に搭載されるオーディオ機器である。電子機器１は、この電子機器１の筐体３内に、通信装置５と、電子機器１の基板７とを備えて構成されており、この筐体３の操作パネル９には操作部品１３と一体となったアンテナ装置１１が取り付けられる。この操作部品１３は、例えば、音量を調整するボリューム（ロータリー式可変抵抗器）であってもよいし、オンオフを切り替えるロータリースイッチであってもよい。通信装置５は、例えば無線データ通信用の周波数帯（例えば２ＧＨｚ帯）のスペクトル拡散方式の通信装置である。筐体３は例えば金属で構成されており、アンテナ装置１１をこの筐体３の内部に設置した場合、電波伝搬特性に影響を及ぼすことがあるので、アンテナ装置１１は筐体３の外部に露呈するように操作パネル９に突設される。そして、アンテナ装置１１の給電線１５が通信装置５に接続される。
【００２４】
図２はアンテナ装置１１の側断面図を示す。このアンテナ装置１１は、アンテナ素子１７と、給電線１５と、操作部品１３とで構成される。アンテナ素子１７は、例えば無線データ通信用の周波数帯（例えば２ＧＨｚから４ＧＨｚ）で使用されるチップアンテナである。給電線１５は、このアンテナ素子１７に接続される同軸ケーブル１９であり、この同軸ケーブル１９は、例えばセミリジットケーブルである。
【００２５】
操作部品１３は、例えば、ロータリースイッチ、ボリューム等であり、操作ノブ２１と、回転シャフト２３と、回転板２５と、ケース２７とを備えて構成されている。操作ノブ２１は、略円筒形状の樹脂やゴム等の絶縁体で構成されている。この操作ノブ２１には回転シャフト２３が固着され、この回転シャフト２３には回転板２５が固着され、操作ノブ２１、回転シャフト２３、及び回転板２５は、一体となってケース２７に回転可能に支持される。回転シャフト２３、及び回転板２５は絶縁体で構成されている。この回転板２５には電線２９、３１が回転板２５の接合点２９ａ、３１ａにそれぞれ接合されている。ここで、例えば、この操作部品１３がロータリースイッチである場合は、回転板２５の回転により接合点２９ａ、３１ａ間のオンオフが切り替わる構成となっており、この操作部品１３がボリュームである場合は、回転板２５の回転により接合点２９ａ、３１ａ間の抵抗値が変化する構成となっている。
【００２６】
回転シャフト２３及び回転板２５には、同軸ケーブル１９を挿通する貫通孔３３が軸心に形成されており、操作ノブ２１の内部には、アンテナ素子１７であるチップアンテナを挿入する空洞３５が形成されている。
【００２７】
この操作ノブ２１の空洞３５にアンテナ素子１７であるチップアンテナが配置され、給電線１５である同軸ケーブル１９の一方は回転シャフト２３及び回転板２５の貫通孔３３に挿通されてアンテナ素子１７に接続される。これによって、アンテナ素子１７の給電線１５は操作ノブ２１の外部に引き出されたことになる。給電線１５である同軸ケーブル１９の他方はケース２７から導出される。同軸ケーブル１９であるセミリジットケーブルの銅製の外装皮膜１９ａは、操作部品１３のケース２７に固定されて接地される。
【００２８】
これによってアンテナ素子１７であるチップアンテナ及び給電線１５である同軸ケーブル１９は、操作ノブ２１、回転シャフト２３、及び回転板２５とは別体に固定されたことになり、操作ノブ２１、回転シャフト２３、及び回転板２５の回転に伴って回転することがなく、アンテナ素子１７は、操作ノブ２１の空洞３５の壁面に接触することがなく、同軸ケーブル１９は、ねじれが防止される。
【００２９】
また、アンテナ素子１７であるチップアンテナは、操作ノブ２１をデザイン性が悪くなるほど大きくしなくても、操作ノブ２１の空洞３５に挿入可能であり、外観上見えることはない。
【００３０】
上記のアンテナ装置１１は、操作ノブ２１が筐体３の外部に露呈するように操作パネル９に取り付けられることにより、アンテナ素子１７であるアンテナチップが筐体３に突設される。
【００３１】
第１の実施の形態によれば、操作部品１３の操作ノブ２１にアンテナ素子１７であるチップアンテナが設けられ、アンテナ装置１１が操作部品１３と一体化が図れ、スイッチやボリューム等の機能とアンテナの機能とを兼ね備えることができ、省スペース化を図ることができる。
【００３２】
アンテナ装置１１がスイッチやボリューム等の操作部品１３としての機能を兼ね備えていることから、電子機器１にアンテナ装置１１を設ける場合、筐体３の表示パネル９の操作部品１３を設ける位置にアンテナ装置１１を設けることができるので、筐体３の操作パネル９にアンテナ装置１１を設けるためのスペースを別途設ける必要がなく、省スペース化を図ることができ、電子機器の機種毎にアンテナ装置１１の設置位置や構造の設計をしなくてよい。また、アンテナ素子１７が操作パネル９に突設されることになるので、金属製の筐体３によりシールドされることなく、外観上アンテナ素子１７が見えることなく、筐体３の操作パネル９にアンテナ素子１７を突設できることから、デザイン性がよく電波伝搬特性の最適な位置に設置できる。
【００３３】
アンテナ素子１７であるチップアンテナ及び給電線１５である同軸ケーブル１９は、操作ノブ２１の回転に伴って回転することなく固定化されているので、操作ノブ２１の回転による給電線１５である同軸ケーブル１９のねじれを防止することができる。
【００３４】
車両に搭載する電子機器１においても同様の効果を奏することはいうまでもない。
【００３５】
〔Ｂ〕第２の実施の形態
図３は、本発明に係るアンテナ装置の第２の実施の形態を示す側断面図である。この第２の実施の形態において、前記第１の実施の形態と同様な部分は、同一の符号を付すことにより説明を省略する。
【００３６】
この第２の実施の形態のアンテナ装置４１は、図３に示すように、アンテナ素子４３と、絶縁体４５と、金属体４７と、給電線１５と、操作部品４９とから構成されている。ここで、操作部品４９と一体となったアンテナ装置４１は、前記の第１の実施の形態と同様に電子機器１（図１）に取り付けられる。
【００３７】
アンテナ素子４３は、回転シャフトも兼ねている棒型アンテナである。このアンテナ素子４３である棒型アンテナの一端は、操作部品４９の操作ノブ５１の穴５３に圧入され、他端には、第１の電極５５が接続されるとともに回転板２５が固着される。操作ノブ５１は、略円筒形状の樹脂やゴム等の絶縁体で構成されている。アンテナ素子４３の他端側には絶縁体４５を介して接地された金属体４７が巻かれ、この金属体４７はケース２７に固定される。これによってアンテナ素子４３は回転可能にケース２７に支持される。
【００３８】
アンテナ素子４３で金属体４７が巻かれていない側の長さＬの部分が１／４波長であればスリーブアンテナとなるが、これに限るものではない。アンテナ素子４３で金属体４７が巻かれていない側の長さＬの部分が１／４波長であれば、例えば無線データ通信用の周波数帯（例えば２ＧＨｚから４ＧＨｚ）の場合、１／４波長、つまり長さＬは、約２〜３ｃｍ程度である。従って、アンテナ素子４３は、操作ノブ５１をデザイン性が悪くなるほど大きくしなくても、外観上見えることはない。
【００３９】
給電線１５には、第２の電極５７が接続されている。この給電線１５は、ケース２７に固定されている。第１の電極５５と第２の電極５７とは、円盤形状で略同一形状であり、第１の電極５５と第２の電極５７との向かい合う平面が略並行に形成されており、第１の電極５５と第２の電極５７とは所定の空隙を保持して容量結合されている。
【００４０】
第１の電極５５は、操作ノブ５１の回転とともに回転するが、第２の電極５７は、給電線１５に固定されており、第１の電極５５と第２の電極５７とは、第１の電極５５の回転に対しても給電可能に所定の空隙が保持されて容量結合されている。従って、操作ノブ５１の回転により給電線１５がねじれることはない。
【００４１】
従って、この第２の実施の形態においても、前記第１の実施の形態と同様の効果を奏し、特に、回転するアンテナ素子４３である棒型アンテナの第１の電極５５と、固定されている給電線１５の第２の電極５７とが所定の空隙を保持して容量結合されているので、給電線１５のねじれを防止することができる。また、第１の電極５５と第２の電極５７とは、円盤形状で略同一形状であり、第１の電極５５と第２の電極５７との向かい合う平面が略並行に形成されており、第１の電極５５と第２の電極５７とは所定の空隙を保持して容量結合されているので、第１の電極５５の回転により電波伝搬特性に影響を及ぼすことはない。
【００４２】
上記の第１，第２の実施の形態では、操作部品１３、４９がスイッチやボリューム等で、操作ノブ２１、５１が回転可能な場合を説明したが、押しボタンスイッチ（図示せず）等の操作ノブが押動可能、摺動可能等であってもよく、またそれ以外のいかなる動作形態であってもよい。
【００４３】
以上、上記の実施の形態に基づいて本発明を説明したが、本発明は、これに限定されるものでない。
【００４４】
【発明の効果】
本発明によれば、省スペース化を図ることができ、電子機器の機種毎にアンテナ装置の設置位置や構造の設計をしなくてよく、デザイン性がよく電波伝搬特性の最適な位置に設置できる。
【図面の簡単な説明】
【図１】本発明による電子機器の第１の実施の形態を示す斜視図である。
【図２】本発明によるアンテナ装置の第１の実施の形態を示す側断面図である。
【図３】本発明によるアンテナ装置の第２の実施の形態を示す側断面図である。
【図４】従来の電子機器の一例を示す斜視図である。
【図５】従来の電子機器の一例を示す斜視図である。
【符号の説明】
１  電子機器（本体）
３  筐体
５  通信装置
１１、４１  アンテナ装置
１５  給電線
１７、４３  アンテナ素子
１９  同軸ケーブル
２１、５１  操作ノブ
２７  ケース
３５  空洞
５３  穴
５５  第１の電極
５７  第２の電極
【図１】
0004708621.tif 000002
【図２】
0004708621.tif 000003
【図３】
0004708621.tif 000004
【図４】
0004708621.tif 000005
【図５】
0004708621.tif 000006